(57)【要約】      （修正有）【課題】環境保護の要請に応えると同時に、高温の作用環境下に応用されるシリコーン層を有する澱粉質容器体を提供する。【解決手段】澱粉質材料から製造されてなる澱粉質容器１０と、澱粉質容器の表面上に付着されるシリコーン外層２０とを備える。シリコーン外層は、本来防水できない澱粉質容器に短期間の防水作用を付与する。シリコーン外層と澱粉質容器はいずれも自然分解が可能で環境に対して汚染を生じず、使用コストを低減させ、環境破壊の減少に寄与する。シリコーン外層は、２５０℃以上の高温に耐えるので、高温が必要な作業環境に適用でき、とりわけ医療上の使用に好適である。【選択図】図２
0003222130.tif 000002
【実用新案登録請求の範囲】
【請求項１】
澱粉質材料から製造されてなる澱粉質容器と、前記澱粉質容器の表面上に付着されるシリコーン外層とを備える澱粉質容器体であって、
前記シリコーン外層は、短期間の防水作用を付与し、前記シリコーン外層と前記澱粉質容器とは自然分解性であることを特徴とする、澱粉質容器体。
【請求項２】
前記シリコーン外層が前記澱粉質容器の内表面または外表面全面に付着されることを特徴とする、請求項１に記載の澱粉質容器体。
【請求項３】
前記澱粉質容器がコップ体、食器皿、碗体、食器ケース及び中空空間を有する箱体のいずれか１つである場合、前記コップ体、前記食器皿、前記碗体、前記食器ケース及び前記中空空間を有する前記箱体のいずれか１つの少なくとも内部に前記シリコーン外層が塗り付けられることを特徴とする、請求項１に記載の澱粉質容器体。
【請求項４】
前記澱粉質容器は、澱粉質材料から構成され、
前記澱粉質材料の形成成分は、澱粉素材、発泡剤、安定剤、繊維質増強剤及び充填粉末材を包含することを特徴とする、請求項１に記載の澱粉質容器体。
【請求項５】
前記澱粉質容器は、中空空間を有する箱体であり、前記箱体は、開閉可能な蓋体を含み、前記箱体及び前記蓋体の少なくとも内部に前記シリコーン外層が塗り付けられることを特徴とする、請求項１に記載の澱粉質容器体。
【請求項６】
前記澱粉質材料は、少なくとも、基材として５０ｗｔ％〜９０ｗｔ％（重量百分率）の澱粉素材と、澱粉質材料の増強剤として５ｗｔ％〜２５ｗｔ％の繊維質増強剤と、澱粉質材料全体の硬化剤として３ｗｔ％〜３０ｗｔ％の炭酸カルシウム（ＣａＣＯ3）とからなることを特徴とする、請求項１に記載の澱粉質容器体。
【請求項７】
前記繊維質増強剤は、植物性繊維またはパルプ繊維であることを特徴とする、請求項６に記載の澱粉質容器体。
【請求項８】
前記澱粉質材料に、０．０２ｗｔ％〜５ｗｔ％の発泡剤がさらに加えられることを特徴とする、請求項６に記載の澱粉質容器体。
【請求項９】
前記発泡剤は、酵母または化学発泡剤であり、かつ発泡後の前記澱粉質材料中に生成された空洞が全体に対して占める体積比率が４０％〜６０％の範囲にあることを特徴とする、請求項８に記載の澱粉質容器体。
【請求項１０】
前記澱粉素材は、植物性澱粉、馬鈴薯澱粉、トウモロコシ澱粉及びタピオカ澱粉のうちから選択されることを特徴とする、請求項６に記載の澱粉質容器体。
【考案の詳細な説明】
【技術分野】
【０００１】
本考案は、澱粉質容器体に係り、特に、環境保護の要請に応えると同時に、かつ高温の作用環境下に応用される、シリコーン層を有する澱粉質容器体に関するものである。
【背景技術】
【０００２】
一般の澱粉質発泡材料は、少なくとも５０％〜９０％の澱粉素材と、少なくとも０．５％〜５％程度ほどの発泡剤と、少なくとも０．２％〜３％の安定剤と、少なくとも５％〜２５％の繊維質増強剤と、５％〜４０％以上の充填粉末材との組み合せからなるが、調整配合環境を高湿度環境にしなければならず（例えば、相対湿度が８０％よりも高い環境）、澱粉質発泡材料を混練して塊状に形成し、前記澱粉質発泡材料中に水分を均一に分散させるために、前記澱粉質発泡材料の表面硬度を適当な値（約１０ＨＡ〜２０ＨＡ）に達するまで混練動作を絶えず繰り返し行う必要がある。
【０００３】
よく見られる澱粉質材料は、馬鈴薯澱粉、トウモロコシ澱粉、タピオカ澱粉またはその他の植物性澱粉から由来するものであるが、澱粉顆粒の凝集性が不十分なために水分を添加してそれを可塑性塊体にする必要がある。水分は可塑剤に類似する役割を果たすため、澱粉質発泡材料を成形空間内に置き、押し潰すと同時に、１００℃まで加熱すると、前記澱粉質発泡材料内に含有されていた水分が徐々に蒸発してゆき、数多くの孔洞の形成が起こる。このようにして多孔性澱粉質容器を形成することができる。
【０００４】
澱粉質発泡材料及びその製品については、使用後の廃棄物は、完全に生物分解可能にしておくことで、ゴミの堆肥化と無害化処理が実現されるほか、澱粉質発泡材料を焼却処理することもできる。しかし、伝統的に食品容器として紙器が応用されているが、一般の紙器は良好な生物材料とは言えない。このため、自然界で分解されず、環境を汚染することとなる。
また、従来技術においては、紙コップが水分を受容できるようにするため、紙コップ内にＰＰまたはＰＥを塗り付ける防水処理法が用いられる。しかし、これらの材料自身が可塑剤そのものであるから、人体に不良な影響を与えてしまうおそれがある。
【考案の概要】
【考案が解決しようとする課題】
【０００５】
本考案の考案者は、長年にわたって澱粉質材料に関する研究開発を行ってきた。その結果、既にこの類の材料は、食品容器の製作のために大量に用いられている。
しかし、澱粉質材料自身は防水機能を持っていないため、従来の澱粉質材料から製造される食品容器はドライ食品の盛り付けにしか用いることができず、液態食品の装填には適していない。
【課題を解決するための手段】
【０００６】
よって、本考案は、以上の従来技術の問題を解決するためになされたものであり、その目的は、シリコーン層を有する澱粉質容器体を提供することにある。
【考案の効果】
【０００７】
本考案は、澱粉質容器の表面上にシリコーン外層を付着させることにより、本来防水を持たない澱粉質容器に、短期間の防水作用を付与することができる。
さらに、前記澱粉質容器に前記シリコーン外層を塗布した後は、液体を盛り付けることができ、繰り返し使用できるため、繰り返し使用率が高くなっていく。
また、本願において使用されている生物材料及びシリコーンは、環境を汚染することなく、人体に不良な影響を及ぼさないため、その効用は従来技術におけるＰＰまたはＰＥを用いた被覆層を有する紙コップに比べて大いに優れている。
【図面の簡単な説明】
【０００８】
【図１】本願の澱粉質容器をコップ体とする態様の概略を示す斜視図である。
【図２】図１の断面図である。
【図３】本願の澱粉質容器を食器皿とする態様の概略を示す断面図である。
【図４】図３の断面図である。
【図５】本願の澱粉質容器を食器皿とする態様の概略を示す別の断面図である。
【図６】図５の断面図である。
【図７】本願の澱粉質容器を碗体とする態様の概略を示す斜視図である。
【図８】図７の断面図である。
【図９】本願の澱粉質容器を食器ケースとする態様の概略を示す斜視図である。
【図１０】図９の断面図である。
【図１１】本願の澱粉質容器を箱体とする態様の概略を示す断面図である。
【図１２】図１１の断面図である。
【図１３】本願の澱粉質容器を箱体とする態様の概略を示す別の斜視図である。
【図１４】図１３の断面図である。
【０００９】
本考案の特徴及びその利点については、添付図面を参照し、以下の説明を読むことでさらに理解されるであろう。
【考案を実施するための形態】
【００１０】
本願の組立、及びそれにより奏される作用効果と利点について、添付図面を参照しながら、本願の好適な実施例を挙げて以下に詳述する。
【００１１】
図１〜図１４を参照する。図示するように、本考案の澱粉質容器体は下記の部品を備える。
【００１２】
澱粉質容器１０、１０’は、澱粉質材料から製造されてなり、前記澱粉質容器１０、１０’は、固体形式または液体形式の食品あるいはその他の物品を盛り付けるために用いられる。
【００１３】
シリコーン外層２０、２０’は、前記澱粉質容器１０、１０’の表面上に付着される。
より好ましくは、前記シリコーン外層が前記澱粉質容器の内表面に付着される。
より好ましくは、前記シリコーン外層が前記澱粉質容器の表面全面にわたって付着される。
【００１４】
その内、前記シリコーン外層２０、２０’は、スプレー塗布や浸漬などの方式を利用して前記澱粉質容器１０、１０’の表面全面上に付着される。
【００１５】
その内、前記シリコーン外層２０、２０’の作用は、本来防水性でない澱粉質容器１０、１０’に短期間の防水作用を付与することである。さらに、自然界において、前記シリコーン外層と前記澱粉質容器はいずれも自然分解可能で自然に帰ることが可能にされれば、環境に対して汚染を生じない。このため、前記澱粉質容器に前記シリコーン外層を塗布した後であれば、液体を盛り付けることができ、しかも繰り返し使用できるので、繰り返し使用率も高くなっていく。また、人体に不良な影響を及ぼさないため、その効用は、従来技術におけるＰＰまたはＰＥによる被覆層を有する紙コップに比べて大いに優れている。
【００１６】
さらに、本願のシリコーン外層２０、２０’は、２５０℃以上の高温に耐えることができる。
医療上の使用に際しては、高温殺菌を受ける必要がある。そのため、従来、容器として使用されているＰＥやＰＵなどのプラスチック材質の許容使用温度は、１２０℃を超えてはいけないところ、本願においては、澱粉質容器１０、１０’に１層のシリコーン外層を塗布することから、その全体の許容使用温度は、２５０℃以上の高温まで上げることができ、本願の容器を応用して包装される医療器材は、高温殺菌の医療環境に使用することができる。これは、従来技術では得られなかった成果である。
【００１７】
本願のいくつかの実施例について以下に説明する。
【００１８】
図１に示すように、前記澱粉質容器１０’をコップ体１００’とする態様において、前記コップ体の少なくとも内部に前記シリコーン外層２０’を塗り付けることを図２の断面図に示す。
使用時、前記コップ体の内部に水を入れることができるため、漏れが防止される。よって、コップ体全体の使用寿命が増大し、多数回使用することができる。
【００１９】
図３と図５に示すように、前記澱粉質容器１０、１０’を食器皿とする態様において、前記食器皿の少なくとも内部に前記シリコーン外層２０、２０’が塗り付けられていることを図４と図６の断面図に示す。
使用時、前記食器皿の内部に食物を納めることができるため、漏れが防止される。よって、食器皿全体の使用寿命が増大し、多数回使用することができる。
【００２０】
図７に示すように、前記澱粉質容器１０を碗体とする態様において、前記碗体の少なくとも内部に前記シリコーン外層２０が塗り付けられていることを図８の断面図に示す。
使用時、前記碗体の内部に食物及びスープなどの汁物を納めることができるため、漏れが防止される。よって、碗体全体の使用寿命が増大し、多数回使用することができる。
【００２１】
図９に示すように、前記澱粉質容器１０を食器ケースとする態様において、前記食器ケースの少なくとも内部に前記シリコーン外層２０が塗り付けられていることを図１０の断面図に示す。
使用時、前記食器ケースの内部に食物を納めることができるため、漏れが防止される。よって、食器ケース全体の使用寿命が増大し、多数回使用することができる。
【００２２】
図１１に示すように、前記澱粉質容器１０を、中空空間を有する箱体とする態様において、前記箱体の少なくとも内部に前記シリコーン外層２０が塗り付けられていることを図１２の断面図に示す。
使用時、前記箱体の内部に物品を納めることができるため、漏れが防止される。よって、箱体全体の使用寿命が増大し、多数回使用することができる。
図１３に示すように、前記箱体は、開閉可能な蓋体を含む箱体であってもよく、前記箱体及び前記蓋体の少なくとも内部に前記シリコーン外層２０が塗り付けられていることを図１４の断面図に示す。
【００２３】
本願の澱粉質材料は、少なくとも、下記の材料からなる。
５０ｗｔ％〜９０ｗｔ％（重量百分率）の澱粉素材を基材として含む。
５ｗｔ％〜２５ｗｔ％の繊維質増強剤（前記繊維質増強剤が植物性繊維またはパルプ繊維であることがより好ましい）を、澱粉質材料を強化する増強剤として含む。
３ｗｔ％〜３０ｗｔ％の炭酸カルシウム（ＣａＣＯ3）を澱粉質材料全体の硬化剤として含む。これは、澱粉質材料全体を硬化させることを目的とする。
より好ましくは、０．０２ｗｔ％〜５ｗｔ％程度ほどの発泡剤を加える。前記発泡剤は、酵母または一般的な化学発泡剤のいずれでも適用できる。これは、発泡を生じさせ、発泡後前記澱粉質材料中に生成された空洞の全体に占める体積比率が４０％〜６０％の範囲にするためであり、その目的は、澱粉質材料全体を、発泡を経由してその内部に空洞を有させることである。これらの空洞は、容器全体の熱抵抗を増大させて容器の重量を減少させることができ、これにより製造時に要する材料を減らすことでコストを削減することができる。
【００２４】
前記澱粉質材料の澱粉素材は、馬鈴薯澱粉、トウモロコシ澱粉、タピオカ澱粉及びその他の植物性澱粉のうちから選択されてもよい。
【００２５】
上記の詳細な説明は、本考案の実施可能な実施例を具体的に説明したものである。但し、本考案の権利範囲はこれらの実施例に限定されるものではなく、本考案の技術的精神を逸脱しない限り、その等効果実施または変更は、なお本考案の実用新案登録請求の範囲内に含まれるものとする。
【符号の説明】
【００２６】
１０、１０’  澱粉質容器
２０、２０’  シリコーン外層
１００’        澱粉質容器体
【図１】
0003222130.tif 000003
【図２】
0003222130.tif 000004
【図３】
0003222130.tif 000005
【図４】
0003222130.tif 000006
【図５】
0003222130.tif 000007
【図６】
0003222130.tif 000008
【図７】
0003222130.tif 000009
【図８】
0003222130.tif 000010
【図９】
0003222130.tif 000011
【図１０】
0003222130.tif 000012
【図１１】
0003222130.tif 000013
【図１２】
0003222130.tif 000014
【図１３】
0003222130.tif 000015
【図１４】
0003222130.tif 000016